(57)【要約】【課題】  指針を輝度ムラなく発光させることが可能な発光指針を提供することができる。【解決手段】  指示部１４及び基部１０からなり、指示部１４及び基部１０に発光面８を有する指針本体９と、基部１０の下方に配置され裏面側より光を受光する受光部２５と、この受光部２５に対応して形成された反射面２６とを有する指針台座１１と、発光面８を露出して指針台座１１の上側を覆うように配置された指針キャップ１２と、バランサー１３と、を備えた発光指針において、基部１０と指針台座１１との間に、受光部２５によって受光され指針本体９に向かう光が拡散される拡散板１５を設けたことによって、基部１０が光過ぎてしまうのを防ぐことができ、指示部１４と基部１０の輝度が均一になることで見栄えが向上した発光指針を提供することが可能となる。【選択図】図１
2014215216.tif 000002
【特許請求の範囲】
【請求項１】
指示部及び基部からなり、前記指示部及び基部に発光面を有する指針本体と、
前記基部の下方に配置され裏面側より光を受光する受光部と、この受光部に対応して形成された反射面とを有する指針台座と、
前記発光面を露出して前記指針台座の上側を覆うように配置された指針キャップと、を備えた発光指針において、
前記基部と前記指針台座との間に、前記受光部によって受光された光が拡散される拡散板を設けたことを特徴とする発光指針。
【請求項２】
前記拡散板は、前記基部から突出した突出部と対応した孔部を有していることを特徴とする請求項１に記載の発光指針。
【発明の詳細な説明】
【技術分野】
【０００１】
本発明は、例えば車両用計器に用いられる発光指針に関するものである。
【背景技術】
【０００２】
発光指針を計器に用いた例として、例えば実開平５−７９４３４号公報がある。この発光指針は、計器を構成する文字板４３および導光体４４の背後に設けられた光源４７からの光を受光部材１３の受光部１８，１９から受光部材１３内に入射させ、反射面２０，２１で反射させて指示部材１２内に光を導いて指示部３３を一様に発光させるというものである。
【先行技術文献】
【特許文献】
【０００３】
【特許文献１】実開平５−７９４３４号公報
【発明の概要】
【発明が解決しようとする課題】
【０００４】
しかしながら、前記発光指針は、受光部から光が入光した箇所は輝度が高く、指針の先端部分（指示部）は光源から離れるにつれて光が導光されにくくなり、指針を照明する光の輝度にバラツキが生じてしまうという問題点があった。
【０００５】
本発明は、このような問題に鑑みなされたものであり、輝度ムラなく発光することが可能な発光指針を提供するものである。
【課題を解決するための手段】
【０００６】
本発明は、指示部及び基部からなり、前記指示部及び基部に発光面を有する指針本体と、
前記基部の下方に配置され裏面側より光を受光する受光部と、この受光部に対応して形成された反射面とを有する指針台座と、
前記指針台座の上側を覆うように配置された指針キャップと、を備えた発光指針において、
前記基部と前記指針台座との間に、前記受光部によって受光された光が拡散される拡散板を設けたものである。
【０００７】
また、本発明は、前記拡散板は、前記基部から突出した突起部と対応した孔部を有しているものである。
【発明の効果】
【０００８】
指針を輝度ムラなく発光させることが可能な発光指針を提供することができる。
【図面の簡単な説明】
【０００９】
【図１】本発明の実施形態を示す発光指針が適用された計器の部分断面図。
【図２】同実施形態を示す発光指針の正面図。
【図３】同実施形態を示すＡ−Ａ断面図。
【発明を実施するための形態】
【００１０】
本発明を車両用計器に用いられる発光指針を実施形態として説明する。図１は、発光指針が適用された計器の部分断面図であり、図２は発光指針の正面図である。図３は、図２に示した発光指針のＡ−Ａ断面図である。
【００１１】
車両用計器は、硬質な回路基板１と、この回路基板１の裏面側に回路基板１と導通状態で装着され、回路基板１を貫通して前方に延びる回動軸２を有する計器本体３と、回動軸２に固着された発光指針４と、この発光指針４の背後に配置された表示板５と、回動軸２周囲の回路基板１上に実装され発光指針４を照明する光源としての指針用発光ダイオード６と、この指針用発光ダイオード６を囲むように表示板５と回路基板１との間に配置された円形の筒部７とを備えている。
【００１２】
発光指針４は、発光面８を有する指針本体９と、この指針本体９の基部１０下方に配置された指針台座１１と、発光面８を露出して指針台座１１の上側を覆うように配置された指針キャップ１２と、バランサー１３とを備えている。
【００１３】
指針本体９は、アクリル，ポリカーボネート等の光透過性である（例えば無色透明な）合成樹脂からなり、指示部１４と指針キャップ１２に覆われる基部１０とに大別される。指示部１４と基部１０の表面側には発光面８を有し、この発光面８の表面には例えば青色の箔がホットスタンプされることによって青色着色層１７が形成され、指示部１４の裏面には例えば白色の箔がホットスタンプされることによって白色着色層１６が形成されている。また、基部１０の裏面側にも、白色着色層１６が形成されている。
【００１４】
指針台座１１は、光透過性である（例えば無色透明な）合成樹脂からなり、略円板状の台座部２２と、この台座部２２中心の裏面側に突設した取付部２３と、取付部２３より指針本体９の指示部１４側に設けられた受光部２５と、この受光部２５に対応した反射面２６を有している。受光部２５と反射面２６は台座部２２の表面側に２個設けてあるが１個でも良い。
【００１５】
指針キャップ１２は、非透過性である（例えば黒色の）合成樹脂からなるほぼ円形の逆カップ状であり、上壁１８の一部には発光面８が露出するように上壁スリット１９が設けてある。また、周壁２０の指示部１４側にも側壁スリット２１が連設されており、この側壁スリット２１から指示部１４が導出されている。
【００１６】
バランサー１３は、発光指針４のバランスを取るもので、黄銅や亜鉛などの金属系の材料（不透過性）からなる。このバランサー１３は、図１に示す様に、指針本体９の基部１０に設けられている後側発光面８Ａ（基部１０）と指針台座１１間の指針台座１１の後方に配置されている。
【００１７】
拡散板１５は、光透過性である合成樹脂からなり、基部１０内部に入光した光を後側発光面８Ａ方向に拡散させるための拡散部が印刷などによって設けられている。拡散板１５は、指針キャップ１２の内側に収納可能な大きさとなっている。基部１０と指針台座１１との間に収納される際、基部１０に設けられた突起部１０１と拡散部１５に設けられた孔部１５１とが嵌合することによって拡散板１５が基部１０に固定されている。
【００１８】
指針台座１１の受光部２５から入光した光は、反射面２６によって基部１０方向に反射され、拡散板１５によって拡散されることで、後側発光面８Ａから透過する光の輝度を調節することができる。また、反射面２６によって反射された光は、指示部１４方向にも導光され指示部を照明する。この際、発光面８と後側発光面８Ａとは、輝度ムラが生じないように均一の輝度で照明される。
【００１９】
このように、本発明は、指示部１４及び基部１０からなり、指示部１４及び基部１０に発光面８を有する指針本体９と、基部１０の下方に配置され裏面側より光を受光する受光部２５と、この受光部２５に対応して形成された反射面２６とを有する指針台座１１と、発光面８を露出して指針台座１１の上側を覆うように配置された指針キャップ１２と、バランサー１３と、を備えた発光指針において、基部１０と指針台座１１との間に、受光部２５によって受光され指針本体９に向かう光が拡散される拡散板１５を設けたことによって、基部１０が光り過ぎてしまうのを防ぐことができ、指示部１４と基部１０との輝度が均一になることで見栄えが向上した発光指針を提供することが可能となる。
【００２０】
また、本発明は、拡散板１５は、基部１０から突出した突起部１０１と対応した孔部１５１を有していることによって、拡散板１５が基部１０の裏面側に確実に固定され、指針キャップ１２内に収納することが可能となる。
【００２１】
なお、拡散板１５を指針キャップ１２内に収納するように配置したことによって、基部の裏面側に設けられた白色着色層１６を省略することも可能となる。
【符号の説明】
【００２２】
４  発光指針
８  発光面
８Ａ  後側発光面
９  指針本体
１０  基部
１１  指針台座
１２  指針キャップ
１３  バランサー
１４  指示部
１５  拡散板
２３  取付部
２５  受光部
２６  反射面
１０１  突起部
１５１  孔部
【図１】
2014215216.tif 000003
【図２】
2014215216.tif 000004
【図３】
2014215216.tif 000005